(57)【要約】      （修正有）【課題】高い強度を有しなおかつ長さ調整操作が容易である杖のロック機構を提供する。【解決手段】杖のロック機構は把持部２と、上部パイプ１０と、中間パイプ２０，２１と、下部パイプ３０とからなり、前記各パイプを接合して一体化する杖本体と、下部パイプ３０の下部側に設けられた石突部３と、を備え前記上部パイプの内面にから前記下部パイプの内面に至るまで設けた弾性紐状体４により各パイプを着脱自在に接合して構成される。上部パイプ１０は、複数の係止溝１１と、上部パイプ１０内に長さ調整可能に先端部側から所定の長さ挿入する長さ調整パイプ１２と、長さ調整パイプ１２の先端部側に前記長さ調整パイプ内部に固定された付勢手段により支持され外表面に突出する係止釦１３とを、備え係止溝１１と係止する位置に応じて前記杖本体の長さ調整を行う長さ調整機構を備えることを、解決手段をする。【選択図】図１
2015029759.tif 000002
【特許請求の範囲】
【請求項１】
把持部と、
上部パイプと、１または複数の中間パイプと、下部パイプとからなり、前記各パイプを接合して一体化する杖本体と、
前記下部パイプの下部側に設けられた石突部と、
を備え前記上部パイプの内面にから前記下部パイプの内面に至るまで設けた弾性紐状体により前記上部パイプと、前記中間パイプと前記下部パイプとを着脱自在に接合する杖のロック機構であって、
前記上部パイプは、長さ方向に所定間隔で設けられた複数の係止溝と、
後端部側で中間パイプと接合し、前記上部パイプ内に長さ調整可能に先端部側から所定の長さ挿入する長さ調整パイプと、
前記長さ調整パイプの先端部側に前記長さ調整パイプ内部に固定された付勢手段により支持され外表面に突出する係止釦とを、備え係止溝と係止する位置に応じて前記杖本体の長さ調整を行う長さ調整機構を有することを特徴とする杖のロック機構。
【請求項２】
前記係止溝と前記係止釦は、平面視して長さ方向に長径を有する長円形の形状を有することを特徴とする請求項１に記載の、杖のロック機構。
【発明の詳細な説明】
【技術分野】
【０００１】
本発明は、杖の長さ調整に供される杖のロック機構に関する。
【背景技術】
【０００２】
従来の杖の長さ調整に供されるロック機構は、特許文献１に示すように、上部連結管と、前記上部連結管の内部に挿入される下部連結管と、を含み、前記下部連結管の両側面の対向する位置に第１、２の貫通孔が形成され、前記第１、２の貫通孔には、それぞれ第１、２のボタン部材が摺動自在に挿入され、前記第１、２のボタン部材の内側には、第１、２のボタン部材を半径方向の外側に付勢するスプリングが設けられ、前記上部連結管には、前記下部連結管の第１、２の貫通孔に対応する位置に第３、４の貫通孔が形成され、前記第１、２、３、４の貫通孔から前記第１、２のボタン部材が出入りする、杖のロック機構が開示されている。
【先行技術文献】
【特許文献】
【０００３】
【特許文献１】実用新案登録第３１５７１１７号公報
【発明の概要】
【発明が解決しようとする課題】
【０００４】
しかしながら、特許文献１に記載の杖は、長さ調整は可能であるが、ロックボタンの形状が円形であり特に高齢者がロックボタンを操作する場合、指の腹の一点に押圧力が集中するために押し難くさらに痛みを伴うものであった。この課題を解決するためロックボタンの形状を大きくすると杖を構成するパイプ強度が低下するとともに外見的にも好ましいものではなかった。
さらに、ロックボタンが円形の形状であるため、このロックボタンに係合し外側の杖に配置される係合孔との位置決めが困難であるという課題があった。
【０００５】
このような課題を解決するために本発明はなされたものであって、ロックボタンを操作する際にも、指の腹の一点に押圧力がかかることなくそのため押圧時に痛みを伴うことなく、高い強度を確保できとともに長さ調整時のロックも容易に可能とする、杖のロック機構を提供することにある。
【課題を解決するための手段】
【０００６】
上記課題を解決する本発明は、把持部と、上部パイプと、１または複数の中間パイプと、下部パイプとからなり、前記各パイプを接合して一体化する杖本体と、前記下部パイプの下部側に設けられた石突部と、を備え前記上部パイプの内面にから前記下部パイプの内面に至るまで設けた弾性紐状体により前記上部パイプと、前記中間パイプと前記下部パイプとを着脱自在に接合する杖のロック機構であって、
前記上部パイプは、長さ方向に所定間隔で設けられた複数の係止溝と、
後端部側で中間パイプと接合し、前記上部パイプ内に長さ調整可能に先端部側から所定の長さ挿入する長さ調整パイプと、
前記長さ調整パイプの先端部側に前記長さ調整パイプ内部に固定された付勢手段により支持され外表面に突出する係止釦とを備え、係止溝と係止する位置に応じて前記杖本体の長さ調整を行う長さ調整機構を有することを特徴とする、杖のロック機構に関する。
【０００７】
本発明のロック機構において、前記係止溝と前記係止釦は、平面視して長さ方向に長径を有する長円形の形状を有することが好ましい。
【発明の効果】
【０００８】
このように構成した本発明の杖のロック機構は、使用時には筒体内部に設けられた係止溝と付勢支持された係止釦によるロック機構により杖本体を形成するのでパイプを高い強度で接合することができる。
また、前記係止溝と前記係止釦は、平面視長さ方向に長径を有する略長円形の形状とすることにより、使用者が容易に長さ調整作業を行うことが可能であるとともに、従来の円形状ロックボタンと比較しても杖の強度を損なうことはない。
【図面の簡単な説明】
【０００９】
【図１】本発明の杖のロック機構を示す図面。
【図２】図１の杖を長さ調整して固定した状態を示す図面。
【図３】図１の杖のロック機構を示す斜視図。
【図４】図１の杖のロック機構を示す断面図。
【発明を実施するための形態】
【００１０】
以下、本発明の実施の形態を添付図面に基づいて説明する。
【００１１】
図１に示す通り、本発明の折畳杖は、上部パイプ１０と、１または複数の中間パイプ（本実施形態においては上部パイプ１０と接合する第１の中間パイプ２０と下部パイプ４０と接合する第２の中間パイプ３０の二本の中間パイプ）と、下部パイプ４０とを有する杖本体と、下部パイプ４０の下部側に設けられた石突部３とから構成された杖である。
【００１２】
そして、本発明の杖のロック機構は、従来技術と同様に上部パイプ１０のパイプ内部に固定され下部パイプ４０の内部まで至る弾性力を有する紐状体４をパイプ内部に連通させて設けている。
【００１３】
そして、本発明の杖のロック機構は、このような紐状体４の作用により、未使用の際の折畳時には図１に示すように弛緩状態となる紐状体４で繋がれた４本の短いパイプとなり、長さを取らず収納可能である。
【００１４】
一方、使用時には図２に示す通り、各パイプ（上部パイプ１０、第１の中間パイプ２０、第２の中間パイプ３０および下部パイプ４０）を接合することにより、紐状体４は緊張状態となり、一本のパイプ接合体である杖として固定される。
【００１５】
本発明は、このような杖において、図３および図４に示すような長さ調整機構を有していることを特徴とする。
【００１６】
図３に示す通り、本発明の杖のロック機構において、上部パイプ１０は、上側（把持部２側）から下側（石突き部３側）に向かって複数の係止溝（図３の例においては、５つの係止溝１１ａ，１１ｂ，１１ｃ，１１ｄ，１１ｅ）が設けられている。
【００１７】
一方、上部パイプ１０は、上部パイプ１０の内部に挿入して係止位置に応じて長さを調整するための長さ調整パイプ１２が挿入され、長さ調整パイプ１２を介して上部パイプ１０と接合する第１の中間パイプと接合する構成となっている。
【００１８】
そして、長さ調整パイプ１２の上部パイプ１０の挿入側の端部側には、図４に示す通り、
接続する第１の中間パイプ２０の上部パイプ１０と接合する接合部は、長さ調整パイプ１２の内側に一端が固定された付勢手段１３ａ（例えば板バネやスプリング）に長さ調整パイプ１２の長さ方向に対して垂直方向に支持されて係止釦１２が長さ調整パイプ１２の表面から突出して設けられている。
【００１９】
このような状態で、長さ調整パイプ１２は所定の係止溝１１ａ，１１ｂ，１１ｃ，１１ｄまたは１１ｅのいずれかの係止溝（図３の例においては係止溝１１ｄ）に係止されている状態となっている。
【００２０】
すなわち、付勢手段１３ａの垂直方向に作用する付勢力により係止釦１３は係止溝１１ｄに係止され固定された状態となる。
【００２１】
一方、係止釦１３を指で垂直方向に押しながら、長さ調整パイプ１２を上側（係止溝１１ｃ側）または下側（係止溝１１ｅ側）に移動させると、係止釦１３は、上部パイプ１０の内部を経由して係止溝１１ｃまたは係止溝１１ｅに移動する。係止釦１３が係止溝１１ｃまたは係止溝１１ｅに至ると、付勢手段１３の垂直方向上向きの付勢力により突出して係止溝１１ｃまたは係止溝１１ｅに係止されロックされた状態となる。
【００２２】
このように所望の長さとなる係止溝１１に係止釦１３を係止することにより、長さ調整パイプ１２は、上部パイプ１２への挿入長さを変えて固定される。すなわち、図３に示す係止溝１１ａ，１１ｂ，１１ｃ，１１ｄ，１１ｅを有する本発明の折畳杖においては、係止溝１１ａと係止釦１３を係止して固定した場合、長さ調整パイプ１２の上部パイプ１０への挿入長さが増え、本発明の杖のロック機構は最短の状態であり、以下、係止溝１１ｂ，１１ｃ，１１ｄと係止釦が係止した際に、本発明の杖のロック機構の長さは順に長くなり、係止溝１１ｅと係止釦１３とが係止した際に本発明の折畳付けは最長の状態となる。
【００２３】
なお、係止溝１１および係止釦１３の形状は、本発明の作用・効果を奏する形状であれば特に限定されないが、操作の容易さから平面視長さ方向に長径を有する略長円形の形状が好ましい。本発明の係止釦をこのような長円形状の釦とすると、円形の釦と比較して、指の腹全体で押すことが可能となり、指に無理に力をかけなくともスムーズに長さ調整作業を行うことが可能となる。
【００２４】
このような、長さ調整機構を有することにより、本発明の杖のロック機構は高い強度を有しなおかつロック機構の操作が容易であり、なおかつ長さ調整可能となる。しかも、このように構成した本発明の杖のロック機構は、使用時には筒体内部に設けられた係止溝と付勢支持された係止釦によるロック機構により、パイプを高い強度で接合することができる。また、前記係止溝と前記係止釦は、平面視長さ方向に長径を有する略楕円形の形状とすると、使用者が容易に長さ調整作業を行うことが可能である。
【００２５】
以上、本発明の実施形態を説明したが、本発明は、これらの実施例に限定されるものではない。例えば、本発明において、２本の中間パイプ２０，３０により中間パイプを構成したが、中間パイプの本数は、１本であっても３本以上であってもよい。また、本発明の杖のロック機構は、上部パイプ１０に５つの係止溝１１ａ，１１ｂ，１１ｃ，１１ｄ，１１ｅを設けたが係止溝の数は、２以上であればいくつでもよい。
【００２６】
以上、本発明は杖のロック機構として説明を行ったが、特に杖に限定されるものではなく、例えば、近年普及してきているウォーキングポール、トレッキングポール等のロック機構にも転用できることは勿論である。
【符号の説明】
【００２７】
１    杖本体
２    把持部
３    石突き部
４    紐状体
１０  上部パイプ
１１ａ，１１ｂ，１１ｃ，１１ｄ，１１ｅ  係止溝
１２  長さ調整パイプ
１３  係止釦
１３ａ  付勢手段
２０  第１の中間パイプ
２１  第２の中間パイプ
３０  下部パイプ
【図１】
2015029759.tif 000003
【図２】
2015029759.tif 000004
【図３】
2015029759.tif 000005
【図４】
2015029759.tif 000006